(57)【要約】床舗装層をレべリングするレべリング装置は、貫通した中空部（９０）及び下方端部を固定部材に取付ける固定用フランジ（１１）を備えたロッド（１）と、ロッド（１）に解放可能に結合される中心開口（３１）、外周の固定孔（３３）及びロッド（１）の固定用フランジ（１１）に取付けられる開口（３１）の端部に形成された指状止め部材（３１０）を備えた固定部材（３）と、ロッド（３）の中空部（９０）に解放可能に結合したキャップ（４）とから構成される。
2004522024.tif 000002
【特許請求の範囲】
【請求項１】
中空部及び下方端部を固定部材に取付ける固定フランジを備えたロッドと；
ロッドに解放可能に結合される中心開口、固定手段により建物の床に固定部材を固定させる外周の固定孔及びロッドの固定フランジに取付けられる開口の端部に形成された指状止め部材を備えた固定部材と；
ロッドの中空部に解放可能に結合したキャップと；
を有することを特徴とする建物構築用のレべリングロッド。
【請求項２】
キャップが、ロッドの中空部内に挿入されるねじと；ロッドの中空部の直径より大きな直径をもちある一定の深さ以上に中空部内にねじが挿入されないねじ上に設けられた突起部分と；突起部分上に設けられた仕上げ線部材又は高さゲージ部材と；高さゲージ部材上に形成された把持部とを備えていることを特徴とする請求項１に記載の建物構築用のレべリングロッド。
【請求項３】
作業者がモルタル又はセメントを塗った床と区別できるようにキャップの把持部の頂部に表示器が形成されていることを特徴とする請求項２に記載の建物構築用のレべリングロッド。
【請求項４】
床上に施されたコンクリート又はモルタルの高さに従って、ロットの長さを調節できるように、ロッドの周囲に多数の溝が形成されていることを特徴とする請求項１に記載の建物構築用のレべリングロッド。
【請求項５】
ロッドは上方部分と下方部分とで異なる直径をもつように中間部分がテーパー状に形成されていることを特徴とする請求項１に記載の建物構築用のレべリングロッド。
【請求項６】
固定部材からロッドが解放するのを防ぐため、溝の下方におけるロッド下方周囲部分に突起部形成されていることを特徴とする請求項１又は４に記載の建物構築用のレべリングロッド。
【発明の詳細な説明】
【技術分野】
【０００１】
本発明は、建物構築用のレべリングロッドに関するものであり、特に建物の床のレべリングを出すゲージロッドに関する。一層特に、本発明は、モルタルを塗った家屋又は建物の床をレべリングして精確な構築を促進しかつ構築のコスト及び時間を低減するようにするロッドに関するものである。
【背景技術】
【０００２】
従来、家屋、商業建物又は地下駐車場のような種々の種類の建物における塗壁モルタルの仕上げ構築においては、左官は建物の壁にインクラインを引き、そして壁に沿ってインクラインの下までモルタルを塗つている。
【０００３】
しかし、建物の壁から離れた領域すなわち建物の床においては、モルタルの高さを示すインクラインすなわち境界線を引くことができず、従って、床全体のレべリングは取ることができず、左官の熟練度すなわち器用さに頼っている。すなわち、モルタル又はコンクリートを用いた従来の構築では、建物の床のレべリングは単に作業者の経験又は器用さに頼っていただけであり、従って、床の表面が平坦又は一様でなく、床が部分的に隆起したり湾曲してしまうという問題にしばしば遭遇していた。
【０００４】
この場合、設計図に従った床上のモルタルの精確なレベルは得ることができず、従って、その後の構築作業ではこのような欠陥のあるレベリングを修繕することが必要となり、このことは建築期間の遅れを生じ、モルタルやコンクリートのような付加的な建築材料が必要となり、また材料のコスト及び労賃が高くなる。
【０００５】
種々の種類の建物の床の精確なレべリングは相当に要求されるが、適当な装置又は機器は提案されていない。
【０００６】
本発明の発明者は、韓国実用新案登録出願第９７−１０９２３８号において添付図面の図１に示すように建物の床を平坦に保つためコンクリートのレベルを指示する装置を提案した。しかし、該装置はその上方部分にキャップを備えていないので、床に過剰のコンクリートが施された場合及び他方コンクリートの供給が不十分で装置のロッドの端部がスラブの床上に露出される場合のコンクリートのレベルを表示する装置１００を区別するのが困難であるという問題に遭遇した。
【発明の開示】
【発明が解決しようとする課題】
【０００７】
従って、本発明の目的は、設計図で要求された基準に従って建物の床に施される発泡コンクリートのレベルを一定に保持でき、従って精確な構築を促進する建物構築用のレべリングロッドを提供することにある。
【０００８】
本発明の別の目的は、床の構築に必要なセメント又はモルタルを前もって精確に計算でき、従って建物の平坦でない床の修繕に必要なセメントモルタルを不必要に消費せずに、材料のコスト及び労賃を低減できるようにする建物構築用のレべリングロッドを提供することにある。
【０００９】
本発明の別の目的は、構築期間の短縮を促進し、かつ欠陥構造を無くす建物構築用のレべリングロッドを提供することにある。
【課題を解決するための手段】
【００１０】
本発明に従ってこれらの目的及び他の利点を達成するために、本発明の建物構築用のレべリングロッドは、
中空部及び下方端部を固定部材に取付ける固定用フランジを備えたロッドと；
ロッドに解放可能に結合される中心開口、固定手段により建物の床に固定部材を固定させる外周の固定孔及びロッドの固定用フランジに取付けられる開口の端部に形成された指状止め部材を備えた固定部材と；
ロッドの中空部に解放可能に結合したキャップと；
を有している。
【００１１】
本発明をさらに理解するのに含まれ、本明細書に結合されかつ本明細書の一部を成す添付図面には、本発明の原理を説明する記載と共に本発明の実施の形態を例示する。
【発明を実施するための最良の形態】
【００１２】
以下添付図面を参照して本発明の好ましい実施の形態について詳細に説明する。
【００１３】
図２及び図３には、建物の床に施されるモルタルのレベルを一定に維持するのに用いるレべリングロッド１００の実施の形態を示している。レべリングロッド１００は塗装作業用のロッド１と、固定部材３と、キャップ４とを備えている。
【００１４】
この実施の形態では、塗装作業用のロッド１は貫通した中空部９０及び下方端部に形成された固定用フランジ１１を備えている。
【００１５】
好ましくは、塗装作業用のロッド１は可撓性ゴムから成り、そしてその中間部分は安定性及び復元力を改善するためテーパー状に形成されている。
【００１６】
これは、モルタルを供給するホースが重く、床にモルタルを注ぐ圧力のため種々の方向に動くためである。すなわち、ロッド１は、可撓性ゴムから成り、そして下方部分の直径が大きいその中間部分がテーパー状に形成されているので、モルタルを供給する重くて可動のホースによって衝撃又は圧力が部分的に加わってもロッドの元の位置及び形状に回復できる。
【００１７】
固定部材３に関して、この固定部材３はプラスター作業用のロッド１と係合され、固定部材３の中心には開口３１が形成され、それでロッド１は開口３１に解放可能に結合され、また固定部材３の外周部分には多数の固定孔３３が形成されている。これらの固定孔３３を通して、固定部材３は固定手段５により建物の床に固定される。
【００１８】
さらに、開口３１の下方端部に、指状止め３１０が形成され、それにより、固定フランジ１１が指状止め３１０と係合されるプラスター作業用のロッド１は固定部材３から解放されないようにできる。
【００１９】
キャップ４はプラスター作業用のロッド１上に設けられている。キャップ４は、上方部分に形成された把持部４０及び中間部分に形成された仕上げ線部分すなわち高さゲージ部材４１を備えている。
【００２０】
キャップ４の下方部分には、キャップ４を容易にプラスター作業用のロッド１に挿入したりロッド１から外したりできるようにねじ４３が形成され、またねじ４３がある一定の深さ以上に中空部９０内に挿入されるのを防ぐために、ねじ４３上には、中空部９０の直径より大きな直径の突起部分４２が形成されている。
【００２１】
さらに、突起部分４２と仕上げ線部材４１との間の表面層部分（ｈ）の回りには案内部材４５が設けられ得る。
【００２２】
キャップ４の把持部４０の頂部には表示器４４が形成され、作業者が肉眼でモルタルの施された床と区別できるようにしている。
【００２３】
表面層部分ｈの高さは焼く２０ｍｍである。表面層部分ｈに形成された案内部材４５は、キャップ４が建物の床にモルタルを施した後の仕上げタッチ中に塗りナイフによってロッド１から強制的に外されるのを防ぐ。
【００２４】
さらに、表示器４４は、床にモルタルを施している作業中、モルタルで汚れ、作業時間中長い距離で且つ又キャップ４を外す際に、床と容易に区別され得る。表示器４４はまた、ロッド１の中心の中空部９０にキャップ４を挿入したりロッド１から外す際にキャップ４を案内する働きもする。
【００２５】
特に、図４に示すように、中空部９０を備えたブラスター作業用のロッド１は固定部材３の開口３１内に挿入され、そしてロッド１の一端部に形成された固定用フランジ１１開口３１の底部に形成された指状止め３１０に係合される。
【００２６】
そして、固定部材３は床のある一定位置に配置され、固定孔３３を介して固定手段５によって床に固定される。
【００２７】
ブラスター作業用の他のロッドと結合される他の固定部材は、固定孔を介して固定手段によって床上の種々の位置に相互に約３ｍづつ規則的に離して配置される。
【００２８】
その後、ロッド１はそれの使用に応じて所望の高さで切断され、そしてロッド１の中空部９０内にキャップ４が挿入される。
【００２９】
ねじ４３によりロッド１にキャップ４を装着した後、建物の床にモルタルが施される。
【００３０】
床に施されたモルタルのレベルが仕上げ線部材４１より下方である場合、又は仕上げ線部材４１が見えなくなる程度までモルタルが仕上げ線部材４３１より上方まで施される場合には、通常のプッシュスティックを用いてモルタルを一様にならす必要がある。
【００３１】
床上のモルタルを一様に均す作業が終了した後、モルタルの表面は通常の方法で硬化され、その後、モルタルの表面においてブラスター作業が行われる。
【００３２】
ブラスター作業中キャップ４の把持部４０及び表示器４４が邪魔となり得るので、ブラスター作業に入る前にキャップ４はロッド１から外される。
【００３３】
こうしてロッド１からキャップ４を外す際には、モルタルの表面は、外されたキャップ４の表面層部分ｈと同じ高さまでのびている。すなわち、キャップ４の取り外しによりキャップ４の取り除いた表面層部分ｈに相応した穴がロッド１の上方に形成される。従って、この穴のまわりのモルタルはロッド１上の穴を充填する。
【００３４】
図５及び図６には本発明の別の実施の形態を示している。図５及び図６は本発明による部屋の床を構築するためのレベリングロッド１００を示し、これらのレベリングロッド１００は、発泡コンクリート用のロッド１ａとブラスター作業用のロッド１ｂとから成っている。発泡コンクリート用のロッド１ａ及びブラスター作業用のロッド１ｂは同じ高さである。
【００３５】
ロッド１ａ、１ｂの各々は、貫通した中空部９０を備え、またそれぞれ一端に固定用フランジ１１ａ又は１１ｂを備えている。
【００３６】
図７に示すように、部屋の床の空調及び暖房設備に本発明によるレベリングロッド１００を適用するために、ロッド１ａ、１ｂの高さは異なるように調整される。特に、発泡コンクリート用のロッド１ａとブラスター作業用のロッド１ｂを固定部材３の開口３１内に挿入し、そして開口３１の底部に形成された指状止め３１０に固定用フランジ１１ａ、１１ｂを係合した後、固定部材３は床の上に置かれ、固定孔３３を通して固定手段５によって床に固定される。
【００３７】
次に、ロッド１ａ、１ｂはそれぞれ、それらの使用に応じて異なる予定の高さに切断され、そして床には発泡コンクリート用のロッド１ａの高さまで発泡コンクリートが施される。
【００３８】
発泡コンクリートで汚れたロッド１ａの端部が肉眼で観察できる場合には、さらに発泡コンクリートを供給する必要があり、またロッド１ａが発泡コンクリートを越えて肉眼で見ることができない場合には、コンクリートが過剰に供給されていることを意味している。従って、発泡コンクリートは発泡コンクリート用のロッド１ａの頂端部と実質的に同じ高さまで床に施されるのが好ましい。
【００３９】
従来の方法でコンクリート表面を硬化した後、硬化したコンクリートの表面に加熱パイプが敷設され、そしてプラスター作業用のロッド１ｂの中空部にキャップ４が挿入される。
【００４０】
加熱パイプの直径はほぼ２０ｍｍであり、モルタルの表面層の厚さは約３０ｍｍであり、またキャップ４の表面層部分ｈの高さは約２０ｍｍであるので、プラスター作業用のロッド１ｂは、ロッド１ａと実質的に同じ高さである発泡コンクリートの表面より約３０ｍｍ高くすべきである。
【００４１】
プラスター作業用のロッド１ｂにキャップ４を結合した後、発泡コンクリート上にモルタルが施され、そして上述のようにプラスター作業が行われる。
【００４２】
図８には、本発明による建築鋼作業用のレべリングロッド１００を示している。このレべリングロッド１００において、建築鋼作業用のロッド１ｃの周囲に多数の溝１０が形成され、床に施されるコンクリートの高さに対する要求に応じてロッド１ｃの長さを容易に調整できるようにしている。溝１０には数字又は文字が記されている。溝１０には一連の数字が記されているので、作業者はモルタルの供給を容易に調節することができる。
【００４３】
建築鋼作業用のロッド１ｃは、ロッドが固定部材３から外れるのを防ぐため溝１０より下方の下方部分に突起部分１２が形成されている。これらの突起部分１２は、建築鋼作業用のロッド１ｃを固定部材３に堅固に取り付ける働きをしている。
【００４４】
さらに、固定部材３の周囲の対向側部には支持部材３４が形成され得、そして支持部材３４の各々の上方部分は鉄棒を支持する溝３５が形成されている。
【００４５】
図９にはデッキプレートに用いるレべリングロッド１００を示し、ロッド１００は、建物の床を構築するのに用いられ、床にはワイヤネットが配置される。
【００４６】
スラブは厚さ７０〜８０ｍｍに形成されるので、固定部材３はその底面に接着剤を施して床に配設され得る。
【００４７】
上記のように、レべリングロッド１００は構築の目的又は条件に応じて種々設計でき、従って、精確な構築及び構築期間の短縮を促進させ、また材料のコスト及び労賃を低減させることができるようになる。
【産業上の利用可能性】
【００４８】
以上説明してきたように、本発明によれば、設計図で要求されたレベルに応じて建物の床に施される発泡コンクリートのレベルを一定に維持できるレべリングロッドを提供することにより、欠陥構築を阻止することができる。
【００４９】
さらに、本発明によれば、建物の床の精確なレベリングが達成でき、そして床レべリングの誤差を最少にできる。従って、材料のコスト及び労賃を低減することが可能となり、また修繕作業を相当に低減だきるので、構築期間を短縮できる。
【００５０】
さらに、建物の安定性を高めるために、建物の寿命を延ばすことが期待できる。
【００５１】
本発明の精神及び範囲から逸脱せずに本発明に対して種々の変更及び変形ができることは当業者に明らかである。本発明は、特許請求の範囲の範囲内の変更及び変形並びにそれらの等価事項を含む。
【図面の簡単な説明】
【００５２】
【図１】コンクリート用の従来のレべリングロッドの分解斜視図。
【図２】本発明によるプラスター作業用のレべリングロッドの分解斜視図。
【図３】本発明によるプラスター作業用のレべリングロッドの内部構造を示す断面図。
【図４】本発明によるレべリングロッドを設置して建物の床に塗装モルタルを構築している状態を示す断面図。
【図５】本発明による部屋の床の構築用のレべリングロッドの分解斜視図。
【図６】本発明による部屋の床の構築用のレべリングロッドの内部構造を示す断面図。
【図７】本発明によるレべリングロッドを設置して部屋の床に空調及び暖房設備を構築する状態を示す断面図。
【図８】本発明による建築鋼作業用のレべリングロッドの分解斜視図。
【図９】本発明によるデッキプレートに用いるレべリングロッドの分解斜視図。
【国際公開パンフレット】
2004522024.tif 000003
2004522024.tif 000004
2004522024.tif 000005
2004522024.tif 000006
2004522024.tif 000007
2004522024.tif 000008
2004522024.tif 000009
2004522024.tif 000010
2004522024.tif 000011
2004522024.tif 000012
2004522024.tif 000013
2004522024.tif 000014
2004522024.tif 000015
2004522024.tif 000016
2004522024.tif 000017
2004522024.tif 000018
2004522024.tif 000019
2004522024.tif 000020
2004522024.tif 000021
2004522024.tif 000022
2004522024.tif 000023
2004522024.tif 000024
2004522024.tif 000025
2004522024.tif 000026
2004522024.tif 000027
2004522024.tif 000028
2004522024.tif 000029
2004522024.tif 000030
2004522024.tif 000031
【国際調査報告】
2004522024.tif 000032
2004522024.tif 000033